【事件の表示】
　特許第２７４５１８１号「水質変換風呂」の請求項１ないし２に係る特許に対する特許異議の申立てについて、次のとおり決定する。
【結論】
　訂正を認める。
　特許第２７４５１８１号の請求項１ないし２に係る特許を維持する。
【理由】
１、手続の経緯
　特許第２７４５１８１号の請求項１、２に係る発明は、平成５年１月２２日に特許出願され、平成１０年２月１３日にその特許の設定登録がなされたものである。
　これに対して、小田切宣和より特許異議の申立てがなされ、取消理由通知がなされ、その指定期間内の平成１１年３月１９日付けで訂正請求がなされたものである。
２、訂正の適否
２−１、訂正の内容
　平成１１年３月１９日付けの訂正請求書における訂正の内容は、本件特許発明の明細書を訂正請求書に添付した訂正明細書のとおりに訂正しようとするものである。すなわち、特許請求の範囲の減縮を目的として、
▲１▼訂正事項ａ
請求項１の「湯を循環させる循環手段を有する浴槽と、イオン交換膜によって分離された分離槽内に＋電極と−電極を設け、前記浴槽から供給された湯を前記＋電極と−電極に電圧を印加して酸性イオンとアルカリイオンに電気分解し、酸性イオン湯を前記浴槽に戻す電解水用容器とを備え、前記浴槽内の湯の酸性度を測定すると共に該測定結果に基づいて前記電極に印加する電源電圧を制御することを特徴とする水質変換風呂。」を、
「浴槽内の湯を該浴槽外に循環させ再び前記浴槽に戻す循環ポンプを有する循環経路と、この循環経路内に前記循環ポンプと直列に配置され、イオン交換膜によって分離された分離槽内に＋電極と−電極を有し、前記浴槽から供給された湯を前記＋電極と−電極に電圧を印加して酸性イオンとアルカリイオンに電気分解し、酸性イオン湯を前記浴槽に戻す電解水用容器とを備え、前記浴槽内の湯の酸性度を測定すると共に該測定結果に基づいて前記電極に印加する電源電圧を制御して電解生成の程度を制御することを特徴とする水質変換風呂。」と訂正し、
さらに、明りょうでない記載の釈明を目的として、
▲２▼訂正事項ｂ
明細書中の「発明にかかる水質変換風呂は、湯を循環させる循環手段を有する浴槽と、イオン交換膜によって分離された分離槽内に＋電極と−電極を設け、浴槽から供給された湯を＋電極と−電極に電圧を印加して酸性イオンとアルカリイオンに電気分解し、酸性イオン湯を浴槽に戻す電解水用容器とを備え、浴槽内の湯の酸性度を測定すると共にこの測定結果に基づいて電極に印加する電源電圧を制御するものである。」（本件特許公報第３頁００１０段落）を、
「発明にかかる水質変換風呂は、浴槽内の湯を浴槽外に循環させ再び浴槽に戻す循環ポンプを有する循環経路と、この循環経路内に循環ポンプと直列に配置され、イオン交換膜によって分離された分離槽内に＋電極と−電極を有し、浴槽から供給された湯を前記＋電極と−電極に電圧を印加して酸性イオンとアルカリイオンに電気分解し、酸性イオン湯を浴槽に戻す電解水用容器とを備え、浴槽内の湯の酸性度を測定すると共にこの測定結果に基づいて電極に印加する電源電圧を制御して電解生成の程度を制御するものである。」と訂正するものである。
２−２、訂正の目的の適否、新規事項の有無及び拡張変更の存否
　上記訂正事項ａは、「循環手段」を「循環ポンプ」に限定し、該「循環ポンプ」と「電解水用容器」との関係を「直列」に限定し、また、「電源電圧を制御する」を「電源電圧を制御して電解生成の程度を制御する」と限定するものであり、かつこれらの事項は、本件明細書００１６段落、図１〜３に記載されているから、特許請求の範囲の減縮に該当し、実質上特許請求の範囲を拡張し、変更するものではなく、新規事項の追加にも該当しない。
　また、上記訂正事項ｂは、特許請求の範囲の減縮を目的とする上記訂正事項ａの訂正に伴うものであり、減縮された特許請求の範囲の記載と発明の詳細な説明の記載を整合させるために明りょうでない記載の釈明を行うことを目的とする訂正に該当する。
２−３、独立特許要件
２−３−１、本件発明
　本件の請求項１、２に係る発明は、訂正明細書及び図面の記載からみて、それぞれその特許請求の範囲の請求項１、２に記載されたとおりのものである。
「【請求項１】浴槽内の湯を該浴槽外に循環させ再び前記浴槽に戻す循環ポンプを有する循環経路と、この循環経路内に前記循環ポンプと直列に配置され、イオン交換膜によって分離された分離槽内に＋電極と−電極を有し、前記浴槽から供給された湯を前記＋電極と−電極に電圧を印加して酸性イオンとアルカリイオンに電気分解し、酸性イオン湯を前記浴槽に戻す電解水用容器とを備え、前記浴槽内の湯の酸性度を測定すると共に該測定結果に基づいて前記電極に印加する電源電圧を制御して電解生成の程度を制御することを特徴とする水質変換風呂。」（以下、本件発明１という。）【請求項２】発熱体を制御して水の温度を調節する貯湯タンクと、イオン交換膜によって分離された分離槽内に＋電極と−電極を設け、該分離槽内に一定量給水された水を前記＋電極と−電極によって酸性イオンとアルカリイオンに電気分解する電解水用容器と、前記貯湯タンクから供給される湯と前記電解水用容器から供給される酸性イオン水を混合して浴槽に供給する混合手段と、該混合手段から前記浴槽に流出する混合湯の酸性度を測定する測定手段とを備え、前記混合手段から前記浴槽に流出する混合湯の酸性度を前記測定手段によって測定すると共に該測定結果に基づいて前記電極に印加する電源電圧を制御することを特徴とする水質変換風呂。」（以下、本件発明２という。）
２−３−２、先願明細書の記載内容
　当審が先に通知した請求項１に係る発明に対する取消理由通知に引用された、本件の出願日前の他の出願であって、その出願後に出願公開された実願平３−７５０５０号（実開平５−２６１９２号のＣＤ−ＲＯＭ）の願書に最初に添付した明細書及び図面（以下、先願明細書という。）には、創水装置を具備する浴槽が記載されており、
　特に先願明細書の請求項１には、「浴槽本体と浴湯循環ポンプとを浴湯吸込流路と浴湯強送流路とで接続して浴湯循環流路を形成し、同浴湯循環流路に、濾過装置と、水道水を電気分解してアルカリ水と酸性水とを生成可能な創水装置を取付けたことを特徴とする創水装置を具備する浴槽。」及び
　請求項２には、「浴湯循環流路にｐＨセンサを設け、同ｐＨセンサのセンサ出力に基づいて、創水装置を制御可能な構成としたこと」が記載されている。
　明細書第５頁００２０段落には、「図１及び図２に示すように、創水装置Ａは、浴湯強送流路１３のの上流側に配設されており、その外殻を形成するケーシング２０は、その内部を隔膜２１によってアルカリ水生成室２２と酸性水生成室２３とに区画されており、各生成室２２，２３には、それぞれステンレス鋼やカーボン等からなる電極（陰極）２４と、ステンレス，白金，酸化チタン等からなる電極（陽極）２５が配設されている。また、両電極２４，２５から導出した電線２６，２７の導出端は、電源２８に接続されており、同電源２８から、制御装置Ｑからの駆動信号に基づいて、電極２４，２５間に電圧が印加されることになる。」と記載されており、
　明細書第７頁００２９段落には、「さらに、本実施例では、主浴湯循環流路Ｒの浴湯吸込流路１２にｐＨセンサ３２を設けている。従って、ｐＨセンサ１４が浴湯のｐＨ値を検出して、検出ｐＨ値が設定ｐＨ値より大きい場合は、制御装置Ｑによって三方切換弁１７、自動開閉弁１８、創水装置Ａ、ヒーターＨを駆動して、水道水をアルカリ水と酸性水とに電気分解するとともに、酸性水をヒーターＨで加熱して、適温の酸性水を、副浴湯循環流路Ｓ及び浴湯吸込流路１３を通して、浴槽本体１０内へ供給できる。」と記載されている。
　また、図１、２には、それぞれ創水装置を具備する浴槽の全体構成図、創水装置の概念的全体構成図が示されている。
２−３−３、対比・判断
　そこで、本件発明１と先願明細書に記載された発明とを対比すると、先願明細書に記載された発明の「創水装置」は、本件発明１の「電解水用容器」に相当し、先願明細書に記載された発明でも、ｐＨセンサを設け、同ｐＨセンサのセンサ出力に基づいて、創水装置を制御可能な構成にしているが、本件発明１は、「電極に印加する電源電圧を制御して電解生成の程度を制御する」という点で先願明細書に記載された発明と相違している。
　すなわち、先願明細書に記載された発明では、先願明細書に「両電極から導出した電線の導出端は、電源に接続されており、同電源から、制御装置からの駆動信号に基づいて、電極間に電圧が印加されることになる。」と記載されているように、駆動信号、言い換えればオン、オフの信号により定格の電圧が印加されており、電極に印加する電源電圧自体を制御していない。
　そして、本件発明１は電極に印加する電源電圧を制御するという点で、電解生成の程度をきめ細かく制御するという先願明細書に記載の発明にない新たな効果を奏するものと云える。
　したがって、本件発明１は先願明細書に記載された発明ではなく、特許法第２９条の２の規定に違反しないものである。
　また、本件発明２は、「電極に印加する電源電圧を制御する」という点で、本件発明１と先願明細書に記載された発明との対比・判断で述べたと同じように、先願明細書に記載された発明ではなく、特許法第２９条の２の規定に違反しないものである。
２−３−４、まとめ
　以上のとおり、本件発明１、２は特許出願の際独立して特許を受けることができるものであるから、上記訂正請求は、特許法第１２０条の４第２項及び同条第３項で準用する第１２６条第２〜４項の規定に適合するので、当該訂正を認める。
３、特許異議申立てについて
３−１、申立ての理由の概要
　特許異議申立人は、証拠方法として甲第１号証（上記先願明細書と同じ。）を提出し、本件請求項１、２に係る発明の特許は特許法第２９条の２の規定に違反してなされたものであるから、取り消されるべきものである旨主張している。
３−２、対比・判断
　請求項１、２に係る発明については、上記２−３−３で述べたとおりである。
４、むすび
　以上のとおり、特許異議申立ての理由及び証拠方法によっては、本件請求項１、２に係る発明の特許を取り消すことはできない。
　また、他に本件特許を取り消すべき理由を発見しない。
　よって、結論のとおり決定する。
【異議決定日】
平成１１年８月１０日（１９９９．８．１０）
【訂正の要旨】
訂正の要旨
特許第２７４５１８１号発明の明細書を、本件訂正請求書に添付された訂正明細書のとおりに、すなわち、特許請求の範囲の減縮を目的として、
▲１▼訂正事項ａ
請求項１の「湯を循環させる循環手段を有する浴槽と、イオン交換膜によって分離された分離槽内に＋電極と−電極を設け、前記浴槽から供給された湯を前記＋電極と−電極に電圧を印加して酸性イオンとアルカリイオンに電気分解し、酸性イオン湯を前記浴槽に戻す電解水用容器とを備え、前記浴槽内の湯の酸性度を測定すると共に該測定結果に基づいて前記電極に印加する電源電圧を制御することを特徴とする水質変換風呂。」を、
「浴槽内の湯を該浴槽外に循環させ再び前記浴槽に戻す循環ポンプを有する循環経路と、この循環経路内に前記循環ポンプと直列に配置され、イオン交換膜によって分離された分離槽内に＋電極と−電極を有し、前記浴槽から供給された湯を前記＋電極と−電極に電圧を印加して酸性イオンとアルカリイオンに電気分解し、酸性イオン湯を前記浴槽に戻す電解水用容器とを備え、前記浴槽内の湯の酸性度を測定すると共に該測定結果に基づいて前記電極に印加する電源電圧を制御して電解生成の程度を制御することを特徴とする水質変換風呂。」と訂正し、
　さらに、明りょうでない記載の釈明を目的として、
▲２▼訂正事項ｂ
明細書中の「発明にかかる水質変換風呂は、湯を循環させる循環手段を有する浴槽と、イオン交換膜によって分離された分離槽内に＋電極と−電極を設け、浴槽から供給された湯を＋電極と−電極に電圧を印加して酸性イオンとアルカリイオンに電気分解し、酸性イオン湯を浴槽に戻す電解水用容器とを備え、浴槽内の湯の酸性度を測定すると共にこの測定結果に基づいて電極に印加する電源電圧を制御するものである。」を、
「発明にかかる水質変換風呂は、浴槽内の湯を浴槽外に循環させ再び浴槽に戻す循環ポンプを有する循環経路と、この循環経路内に循環ポンプと直列に配置され、イオン交換膜によって分離された分離槽内に＋電極と−電極を有し、浴槽から供給された湯を前記＋電極と−電極に電圧を印加して酸性イオンとアルカリイオンに電気分解し、酸性イオン湯を浴槽に戻す電解水用容器とを備え、浴槽内の湯の酸性度を測定すると共にこの測定結果に基づいて電極に印加する電源電圧を制御して電解生成の程度を制御するものである。」と訂正するものである。
（５４）【発明の名称】
水質変換風呂
（５７）【特許請求の範囲】
　　【請求項１】　
浴槽内の湯を該浴槽外に循環させ再び前記浴槽に戻す循環ポンプを有する循環経路と、
　
この循環路内に前記循環ポンプと直列に配置され、
　前記浴槽内の湯の酸性度を測定すると共に該測定結果に基づいて前記電極に印加する電源電圧を制御
して電解生成の程度を制御
　　【請求項２】　発熱体を制御して水の温度を調節する貯湯タンクと、
　イオン交換膜によって分離された分離槽内に＋電極と−電極を設け、該分離槽内に一定量給水された水を前記＋電極と−電極によって酸性イオンとアルカリイオンに電気分解する電解水用容器と、
　前記貯湯タンクから供給される湯と前記電解水用容器から供給される酸性イオン水を混合して浴槽に供給する混合手段と、
　該混合手段から前記浴槽に流出する混合湯の酸性度を測定する測定手段とを備え、
　前記混合手段から前記浴槽に流出する混合湯の酸性度を前記測定手段によって測定すると共に該測定結果に基づいて前記電極に印加する電源電圧を制御することを特徴とする水質変換風呂。
【発明の詳細な説明】
　　　【０００１】
　　【産業上の利用分野】
　本発明は、浴槽内の湯に電解生成した酸性イオンを加えてアストリンゼン効果と殺菌効果を持たせると共に、電解生成の程度を制御して浴槽内の湯の酸性イオン値を所定の値に維持する水質変換風呂に関するものである。
　　　【０００２】
　　【従来の技術】
　図７は従来の風呂用水質変換器の一例を示す模式図である。１は浴槽、２は浴槽１内の湯を循環させる循環経路Ｒに設けられた循環ポンプ、３は浴槽１内の湯の温度を一定に保持する保温器、４は循環経路Ｒを循環する湯の温度を測定して保温器に伝達する温度センサ、５は循環経路Ｒを循環する湯に混入したゴミを除去するフィルタである。
　上記のように構成した風呂用水質変換器では、浴槽１内の湯は循環ポンプ２によって循環経路Ｒを循環する。このとき、温度センサ４は循環湯の温度を測定し、保温器３はその測定値によって循環湯の温度を上げ下げして所望の一定値に保持する。また、浴槽１内の湯に混入し循環経路Ｒを循環するゴミはフィルタ５により除去される。
　　　【０００３】
　図８は従来の風呂用電気温水器の一例を示す模式図である。６は貯湯タンク、７は貯湯タンク６の下部に取付けられた発熱体、８は発熱体７の温度調節器、９は電動混合弁である。
　１０は一端が給水部に接続され他端が貯湯タンク６の下部に接続された第１の配管、１１は第１の配管１０の上流部に設けられた減圧弁、１２は一端が第１の配管１０から分岐し他端が電動混合弁９に接続された第２の配管、１３は一端が貯湯タンク６の上部に接続され他端が電動混合弁９に接続された第３の配管である。なお、１４は貯湯タンク６の上部に設けた逃し弁である。
　１５は電動混合弁９と浴槽１とを接続する第４の配管、１６は第４の配管１５に設けられた電磁弁、１７は第４の配管１５に取付けられ電磁弁１６に浴槽１の水位を知らせる水位センサである。１８は第４の配管１５に設けられた温度センサで、電動混合弁９に第４の配管１５を通る湯の温度を知らせる。
　　　【０００４】
　上記のように構成した風呂用電気温水器では、第１の配管１０の一端から減圧弁１１を介して一定圧力で給水された水は貯湯タンク６内に貯留され、ここで発熱体２によって加熱され沸き上げられる。そしてこの湯の温度は温度調節器８によって測定され、所定の温度になるように発熱体２の加熱温度が制御され、貯湯タンク６内の水は一定温度に維持される。なお、沸き上げ中の膨脹水は逃し弁１４を介して外部に排水される。
　こうして沸き上げられた湯は貯湯タンク６の上部から第３の配管１３を通って電動混合弁９に至り、一方、第１の配管１０から分岐して第２の配管１２に給水された水は電動混合弁９に至り、ここで湯と水とが混合される。
　　　【０００５】
　この際、湯と水の混合割合は電動混合弁９によって調整される。すなわち、温度センサ１８が電動混合弁９から第４の配管１５に流出する際の混合湯温の温度を測定し、この結果を電動混合弁４に知らせて湯と水の混合割合を調整し、所定の温度にする。
　こうして温度調整された混合湯は、第４の配管１５を通って浴槽１に至る。
浴槽１内の湯が一定水位以上になると、水位センサ１７がこれを感知して電磁弁１６に知らせ、電磁弁１６が閉じて給湯は停止する。一方、浴槽１内の湯が一定水位以下になると、水位センサ１７がこれを感知して電磁弁１６に知らせ、電磁弁１６が開いて給湯が開始する。
　　　【０００６】
　図９は、例えば特開平３−１０６４９２号公報に開示された従来の浴槽用濾過装置の一例を示す模式図、図１０はその要部断面図である。この浴槽用濾過装置では、浴槽１の循環水路１９に循環装置２０が設けられ、この循環装置２０によって浴槽内の湯が循環する。
　循環水路１９には濾過装置２２が設けられその内部にはフィルタ２１が内装されている。このフィルタ２１には、第１電極２３が接触すると共に第２電極２４が絶縁状態で取付けられ、また第１電極２３と第２電極２４の間に電圧を印加する制御装置２５が設けられ、両電極２３，２４に印加される電圧により湯中の雑菌を制菌する。
　　　【０００７】
　図１１は、例えば特開平３−１９１号公報に開示された従来の浴槽水殺菌浄化装置の一例を示す模式図である。この浴槽水殺菌浄化装置では、浴槽水を浴槽１からその外部に循環させ、その循環路２６中に循環ポンプ２７、濾過器２８、及び電源を定電流直流電源３０とする電気分解器２９を配置し、電気分解器２９で循環水を電気分解し、殺菌する。
　図１２、図１３は浴槽水殺菌浄化装置のそれそれ他の一例を示す模式図で、圧力スイッチ３１や電解質タンク３２、それに加えて浴槽水の電解質濃度を一定にするための電解質投入手段（金属の陽極電解器）３３を設けている。
　　　【０００８】
　　【発明が解決しようとする課題】
　上記のように構成した従来の風呂用水質変換器（図７）では、浴槽１内の湯を保温し浄水するが、湯を殺菌したり肌に良い湯に変えることはない。
　また、風呂用電気温水器（図８）では、貯湯タンク６内で沸き上げた湯を入浴に必要な温度に調整して給湯するが、水を一定温度に沸き上げるだけで沸き上げられた湯には殺菌効果はなく、また肌に良い効果を与えるものではない。そのうえ、逃し弁１４からの膨脹水は無駄に外部に排水される。
　さらに、浴槽用濾過装置（図９、図１０）では、フィルタ２２に殺菌効果を持たせて循環水路１９内の湯から雑菌を除き清潔にするが、肌に良い効果を与えるものではない。
　さらにまた、浴槽水殺菌浄化装置（図１１、図１２及び図１３）では、フィルタ２８でゴミ等を除去し、また電気分解によって浴槽１内を殺菌するが、湯水のＰＨ値を正確かつ効率的にコントロールして肌に良い湯を常に得られるものではない。
　　　【０００９】
　本発明は上記のような課題を解決するためになされたもので、浴槽内の湯をアストリンゼン効果を有する一定の酸性度の湯に変える水質変換風呂を得ることを目的とする。
　また本発明は、アストリンゼン効果のある酸性水を常に一定の酸性度で浴槽に供給すると共に、逃し弁からの膨脹水を回収できる水質変換風呂を得ることを目的とする。
　　　【００１０】
　　【課題を解決するための手段】
　発明にかかる水質変換風呂は、浴槽内の湯を浴槽外に循環させ再び浴槽に戻す循環ポンプを有する循環経路と、この循環経路内に循環ポンプと直列に配置され、イオン交換膜によって分離された分離槽内に＋電極と−電極を有し、浴槽から供給された湯を前記＋電極と−電極に電圧を印加して酸性イオンとアルカリイオンに電気分解し、酸性イオン湯を浴槽に戻す電解水用容器とを備え、浴槽内の湯の酸性度を測定すると共にこの測定結果に基づいて電極に印加する電源電圧を制御して電解生成の程度を制御するものである。
　　　【００１１】
　また本発明にかかる水質変換風呂は、温度調節器により発熱体を制御して水の温度を調節する貯湯タンクと、イオン交換膜によって分離された分離槽内に＋電極と−電極を設け、、分離槽内に一定量給水された水を＋電極と−電極によって酸性イオンとアルカリイオンに電気分解する電解水用容器と、貯湯タンクから供給される湯と電解水用容器から供給される酸性イオン水を混合して浴槽に供給する混合手段と、混合手段から浴槽に流出する混合湯の酸性度を測定する測定手段とを備え、混合手段から浴槽に流出する混合湯の酸性度を測定手段によって測定すると共に測定結果に基づいて電極に印加する電源電圧を制御するものである。
　　　【００１２】
　　【作用】
　浴槽内の湯を循環ポンプで電解水用容器に送って電気分解し、ここで生成した酸性イオンを浴槽内に戻す。浴槽内の湯の酸性度を測定して、その測定値によって電解水用容器の直流電源を制御し酸性濃度を一定に維持する。
　　　【００１３】
　また、貯湯タンク内で沸き上げた湯と電解生成した酸性イオン水を電動混合弁で混合し、混合した湯の酸性度を測定して、その測定値によって電解水用容器の直流電源を制御し酸性濃度を一定に維持する。
　　　【００１４】
　　【実施例】
実施例１
　図１は本発明の第１の実施例を示す模式図である。１は浴槽、２は浴槽１内の湯を循環させるために循環経路Ｒに設けられた循環ポンプ、３は保温器、４は循環経路Ｒの湯温を測定する温度センサ、５はフィルタである。
　３４は循環経路Ｒに設けられた電解水用容器で、循環経路Ｒを流れる湯を電気分解して電解水を生成する。３５は電解水用容器３４を２槽すなわちＡ槽とＢ槽に分離するイオン交換膜、３６は直流電源、３７はＡ槽内に挿入され直流電源３６の＋極に接続されたフェライト電極（＋電極）、３８はＢ槽内に挿入され直流電源３６の−極に接続されたステンレス板の電極（−電極）、３９は浴槽１内のＰＨ値を測定してその値を直流電源３６に伝達し、直流電源３６の電圧を制御するペーハーセンサである。
　　　【００１５】
　次に上記のように構成した第１の実施例の作用を説明する。浴槽１内の湯は循環ポンプ２によって循環経路Ｒ中に押出され、まずフィルタ５で浴槽１内の湯に混入したゴミが除去される。
　ついで、この湯は電解水用容器３４内に給湯され、ここで＋電極３７と−電極３８に印加された電圧によって電気分解される。こうしてイオン交換膜３５を介してＡ槽内に酸性イオン湯、Ｂ槽内にアルカリイオン湯が電解生成される。Ａ槽内の酸性イオン湯はＡ槽の下部から浴槽１に至る循環経路Ｒに送られ、Ｂ槽内のアルカリイオン湯はＢ槽の下部から外部に排出される。
　そして、Ａ槽から浴槽１にむかう酸性イオン湯の温度は温度センサ４により測定され、保温器３の発熱体を制御して循環湯の温度を一定温度に保持する。
　こうして循環湯は浴槽１内に戻るが、浴槽１内にＣ１２がある場合は、
　Ｃ１２＋Ｈ２Ｏ→ＨＣ１Ｏ＋ＨＣ１
　の反応が生じ、ＨＣ１Ｏが浴槽１内に発生して殺菌効果が生じる。
　　　【００１６】
　浴槽１内に戻った湯はペーハーセンサ３９によってその酸性度が測定され、弱酸性の一定の酸性度（例えばＰＨ５〜６）になるように電源３６を制御して電解生成の程度を制御し、浴槽１内を一定のＰＨ値に維持する。
　従って浴槽１内の湯は常に一定の酸性度を示し、殺菌や収斂作用等がある。また、石鹸洗浄によって生じる皮膚のアルカリ度を中和し、皮膚を引き締めて滑らかな肌を作る。さらに、浴槽１には湯垢が付きにくく、汚れにくい。
　　　【００１７】
実施例２
　図２は本発明の第２の実施例を示す模式図である。第２の実施例では第１の実施例に示した保温器３と温度センサ４を省略したものである。
　保温器３と温度センサ４を省略した場合は、装置そのものが安価に構成され経済的である。
　　　【００１８】
実施例３
　図３は本発明の第３の実施例を示す模式図である。第３の実施例では第２の実施例に示したフィルタ５を省略したものである。
　フィルタ５による浄水機能を必要としない場合は、装置そのものが安価に構成され経済的である。
　　　【００１９】
実施例４
　図４は本発明の第４の実施例を示す模式図である。６は貯湯タンク、７は貯湯タンク６の下部に取付けられた発熱体、８は発熱体７の温度を調節する温度調節器、９は電動混合弁である。
　３４は電解水を生成するための電解水用容器、３５は電解水用容器３４をＡ槽とＢ槽に分離するイオン交換膜、３６は直流電源、３７は直流電源３６の＋極に接続されたフェライト電極（＋電極）、３８は直流電源３６の−極に接続されたステンレス板の電極（−電極）、４０は電解水用容器１０内への給水量を制御して水位を一定値に保持するボールタップである。
　　　【００２０】
　１０は一端が給水部に接続され他端が貯湯タンク６の下部に接続された第１の配管、１１は第１の配管１０の上流部に設けられた減圧弁、４１は一端が第１の配管１０から分岐し他端がボールタップ４０に接続された第５の配管、１３は一端が貯湯タンク６の上部に接続され他端が電動混合弁９に接続された第３の配管である。なお、１４は貯湯タンク６の上部に設けた逃し弁である。
　４２は一端が電解水用容器３４のＡ槽側底部に接続され他端が電動混合弁９に接続された第６の配管、４３は第６の配管１６に設けられ電解水用容器３４のＡ槽の酸性水を加圧する給湯ポンプ、１５は一端を電動混合弁９に接続し他端を浴槽１に接続した第４の配管である。
　１６は第４の配管１５に設けられた電磁弁、１７は電磁弁１６に浴槽１の水位を知らせ電磁弁１６の開閉を制御する水位センサである。１８は第４の配管１５に設けられ、電動混合弁９に第４の配管１５の湯温を知らせて電動混合弁９の開閉を制御する温度センサである。
　３９は第４の配管１５に設けられたペーハセンサで、第４の配管１５を通過する湯のＰＨ値を測定してその値を直流電源３６に伝達し、直流電源３６を制御する。
　　　【００２１】
　次に上記のように構成した第４の実施例を説明する。まず、第１の配管１０に設けられた減圧弁１１によって、貯湯タンク６内に一定圧力で給水がおこなわれる。こうして、貯湯タンク６内に貯留された水は発熱体７によって沸き上げられるが、湯の温度は温度調節器８によって測定され、発熱体７の温度を制御して湯の温度を一定値に維持する。なお、沸き上げ中の膨脹水は逃し弁１４を介して電解水用容器３４に回収される。
　こうして沸き上げられた電解水用容器３４中の湯は、電解水用容器３４の上部から第３の配管１３を通って電動混合弁９に導かれる。
　一方、減圧弁１１を通った給水の一部は第５の配管４１に流れて電解水用容器３４内に供給され、一定水位に保持される。こうして電解水用容器３４内に供給された水は、＋電極３７と−電極３８に直流電源３６から電圧を印加して電気分解される。これにより＋電極３７が挿入されたＡ槽側に酸性イオン水が生成され、−電極３８が挿入されたＢ槽側にアルカリイオン水が生成される。そしてアルカリイオン水はＢ槽の底部から排出され、酸性イオン水は加圧ポンプ４３により加圧されて電動混合弁９に導かれる。
　　　【００２２】
　こうして、貯湯タンク６によって沸き上げられた湯と電解水用容器３４によって電解生成された酸性イオン水は電動混合弁４に導かれ、ここで混合される。そして温度調整された混合湯は、第４の配管１５を通って浴槽１に至る。
　この際、第４の配管１５を通る混合湯はペーハーセンサ３９によってその酸性度が測定され、電源３６を制御して電解生成の程度をコントロールする。こうして電解水用容器３４内の電解水を弱酸性の一定の酸性度（例えばＰＨ５〜６）にして、酸性イオン湯のＰＨ値すなわち浴槽１内のＰＨ値を一定に維持する。
　一方、第４の配管１５を流れる酸性イオン湯の温度は温度センサ１８により測定され、この結果は電動混合弁９に知らされて、電動混合弁９のバルブが湯と酸性イオン水の混合割合を調整し所定の温度にする。
　　　【００２３】
　こうして一定ＰＨ値と一定温度に調整された混合湯は、第４の配管１５を通って浴槽１に至るが、浴槽１内にＣ１２がある場合は、
　Ｃ１２＋Ｈ２Ｏ→ＨＣ１Ｏ＋ＨＣｌ
　の反応が生じて、ＨＣ１Ｏが浴槽１内に発生し、殺菌効果が生じる。
　なお、浴槽１内の湯が一定水位以上になると、水位センサ１７がこれを感知して電磁弁１６に知らせ、電磁弁１６を閉じて給湯を停止する。一方、浴槽１内の湯が一定水位以下になると、水位センサ１７がこれを感知して電磁弁１６に知らせ、電磁弁１６を開いて給湯を開始する。
　従って、浴槽内の湯は常に一定の酸性度を有して殺菌や収斂作用等を示し、また石鹸洗浄による皮膚のアルカリ度を中和して皮膚を引き締め、滑らかな肌を作ると共に、浴槽に湯垢が付きにくく汚れにくい。さらに、貯湯タンクからの膨脹水を回収し無駄な排水をなくす。
　　　【００２４】
実施例５
　図５は本発明の第５の実施例を示す模式図である。第５の実施例では、第４の実施例に示した電磁弁１６と水位センサ１７を省略したものである。
　第５の実施例によれば、蛇口４４の開閉を手動で調節し、浴槽１内の湯量を調整する。　浴槽１への一定水位の自動給湯を必要としない場合は、装置そのものが安価にでき経済的である。また、蛇口４４をシャワー口にすると、一定温度で一定酸性度のシャワー給湯ができる。さらに洗浄力や殺菌力を利用して台所で使用すると、食器やふきん、おしぼり等の洗浄ができる。
　　　【００２５】
実施例６
　図６は本発明の第６の実施例を示す模式図である。第６の実施例では、第５の実施例に示した温度センサ１８を省略したものである。
　電動混合弁９を手動で調整する場合は、装置そのものが安価にでき経済的である。
　　　【００２６】
　　【発明の効果】
　以上の説明から明らかなように、本発明の水質変換風呂によれば、浴槽内の湯を電解水用容器に送って電気分解し、ここで生成した酸性イオン水を浴槽内に戻すと共に、浴槽内の湯の酸性度を測定してその測定値によって直流電源をコントロールし酸性濃度を一定に維持するようにし、
　また、貯湯タンク内で沸き上げた湯と電解生成した酸性イオン水を電動混合弁で混合し、混合した湯の酸性度を測定して、その測定値によって直流電源をコントロールし酸性濃度を一定に維持するようにしたので、
　常に一定酸性度の湯を給湯でき、殺菌や収斂作用等の効果があり、また、石鹸洗浄による皮膚のアルカリ度を中和し、皮膚を引き締め、滑らかな肌を作るという効果がある。
【図面の簡単な説明】
　【図１】
本発明の第１の実施例を示す模式図である。
　【図２】
本発明の第２の実施例を示す模式図である。
　【図３】
本発明の第３の実施例を示す模式図である。
　【図４】
本発明の第４の実施例を示す模式図である。
　【図５】
本発明の第５の実施例を示す模式図である。
　【図６】
本発明の第６の実施例を示す模式図である。
　【図７】
従来の風呂用水質変換器の一例を示す模式図である。
　【図８】
従来の風呂用電気温水器の一例を示す模式図である。
　【図９】
従来の浴槽用濾過装置の一例を示す模式図である。
　【図１０】
図９の要部断面図である。
　【図１１】
従来の浴槽水殺菌浄化装置の一例を示す模式図である。
　【図１２】
従来の浴槽水殺菌浄化装置の他の一例を示す模式図である。
　【図１３】
従来の浴槽水殺菌浄化装置の別の一例を示す模式図である。
【符号の説明】
　１　浴槽
　２　循環ポンプ
　６　貯湯タンク
　７　発熱体
　８　温度調節器
　９　電動混合弁
３４　電解水用容器
３５　イオン交換膜
３６　電源
３７　＋電極
３８　−電極
３９　ペーハーセンサ
４０　ボールタップ
Ａ，Ｂ分離槽
Ｒ　循環経路